(57)【要約】【課題】幻覚成分であるテトラヒドロカンナビノール酸をほとんど含まないアサ（ＣＢＤＡ種）であって、側枝を実質的に持たないアサを作出する。【解決手段】ＣＢＤＡ種のアサについて、２回以上の近親交配を繰り返すことを特徴とする無側枝性アサの作出方法。【選択図】  なし【特許請求の範囲】
【請求項１】
ＣＢＤＡ種のアサについて、２回以上の近親交配を繰り返すことを特徴とする無側枝性アサの作出方法。
【請求項２】
以下の工程（１）〜（４）を含み、工程（３）及び（４）を２回以上繰り返すことを特徴とする請求項１記載の無側枝性アサの作出方法。
（１）ＣＢＤＡ種のアサの種子を播種し、発芽した植物体を開花期まで生長させる工程
（２）工程（１）で生長させた植物体の中から特定の雄株と雌株を選択し、前記雌株の花に、前記雄株由来の花粉を受粉させ、前記雌株に形成される種子を採取する工程
（３）工程（２）又は工程（４）で採取した種子を播種し、発芽した植物体を開花期まで生長させる工程
（４）工程（３）で生長させた植物体の中から特定の雄株と雌株を選択し、前記雌株の花に、前記雄株由来の花粉を受粉させ、前記雌株に形成される種子を採取する工程
【請求項３】
請求項１又は２記載の方法により作出されたアサ。
【請求項４】
請求項３記載のアサに生育可能な繁殖材料。
【発明の詳細な説明】
【０００１】
【発明の属する技術分野】
本発明は、側枝を実質的に持たないアサの作出方法、及びその方法により作出されたアサに関する。このアサは、繊維、製紙、建築材料を採取するための産業用アサとして有用である。
【０００２】
【従来の技術】
１９６７年に九州大学薬学部西岡五夫教授は、幻覚成分であるテトラヒドロカンナビノール酸（ＴＨＣＡ）をほとんど含まず、カンナビジオール酸（Ｃａｎｎａｂｉｄｉｏｌｉｃ  ａｃｉｄ、ＣＢＤＡ）を多く含むアサを在来種の中から見つけ、このアサをＣＢＤＡ種と名づけた（西岡五夫（１９７３）サイエンス（日本版）１：４４−４６）。
【０００３】
ＣＢＤＡ種作出により、１９９３年以降、ヨーロッパ各国やカナダなどを中心に世界的に産業用アサの作付面積が急増している。日本では栃木県で育種がされており、選抜したＣＢＤＡ種同士を親株に用いて独自の繊維生産用アサ（トチギシロ）が作出されている。
【０００４】
【非特許文献１】
栃木農試研報  Ｎｏ．２８：４７−５４（１９８２）
【０００５】
【発明が解決しようとする課題】
しかし、現在までに作出されたＣＢＤＡ種のアサは、どれも腋芽の発育が旺盛で、側枝がよく伸長するという性質を示す。繊維等として利用するのは、アサの長く延びた主茎の部分のみであるため、縦方向への生長は重要であるが、側枝は不要である。逆に、側枝の発達は、単位面積あたりの栽培量低下や栽培状況の悪化、さらには加工段階における切除作業に手間がかかるなどの問題を引き起こす。
【０００６】
腋芽の発育を抑制し、無側枝性のＣＢＤＡ種を作出できれば、単位面積当たりの栽培量の増大及び側枝切除作業の省略化などを図ることができる。しかし、ＣＢＤＡ種の性質維持には、遺伝的優劣関係からＣＢＤＡ種同士の交雑育種をしなければならず、このような限られた種間での交配だけでは、所望の形質を持つ個体の作出は困難であった。このため、現在までのところ、無側枝性のＣＢＤＡ種の作出に成功したという報告はない。
【０００７】
本発明は、以上のような技術的背景の下になされたものであり、無側枝性のＣＢＤＡ種を作出することをその目的とする。
【０００８】
【課題を解決するための手段】
本発明者は、上記課題を解決するため鋭意検討を重ねた結果、ＣＢＤＡ種について、２回以上の近親交配を繰り返すことにより、側枝を実質的に持たないＣＢＤＡ種のアサを作出できることを見出し、この知見に基づき本発明を完成するに至った。
【０００９】
即ち、本発明は、ＣＢＤＡ種のアサについて、２回以上の近親交配を繰り返すことを特徴とする無側枝性アサの作出方法である。
【００１０】
また、本発明は、上記の方法により作出されたアサである。
【００１１】
更に、本発明は、上記のアサに生育可能な繁殖材料である。
【００１２】
【発明の実施の形態】
以下、本発明を詳細に説明する。
【００１３】
本発明の無側枝性アサの作出方法は、ＣＢＤＡ種のアサについて、２回以上の近親交配を繰り返すことを特徴とするものである。具体的には、以下の工程（１）〜（４）を含み、工程（３）及び（４）を２回以上繰り返すことにより、無側枝性アサを作出できる。
【００１４】
工程（１）では、ＣＢＤＡ種のアサの種子を播種し、発芽した植物体を開花期まで生長させる。種子は、ＣＢＤＡ種に属するものであればどのようなものでもよい。なお、ＣＢＤＡ種とは、テトラヒドロカンナビノール酸をほとんど含まず（通常は０．３％以下）、カンナビジオール酸を多く含むアサ（Ｃａｎｎａｂｉｓ ｓａｔｉｖａ  Ｌ．）の成分変種である。種子から開花期までの栽培は通常のアサと同様に行うことができる。即ち、播種後、長日、温度２５度、湿度６０〜８０％といった条件で４０日程度栽培し、その後、短日、温度２５度、湿度６０〜８０％といった条件で１０〜１５日程度栽培することにより、開花期まで生長させることができる。
【００１５】
工程（２）では、工程（１）で生長させた植物体の中から特定の雄株と雌株を選択し、前記雌株の花に、前記雄株由来の花粉を受粉させ、前記雌株に形成される種子を採取する。
【００１６】
工程（３）では、工程（２）又は後述する工程（４）で採取した種子を播種し、発芽した植物体を開花期まで生長させる。この工程は、工程（１）に準じて行うことができる。
【００１７】
工程（４）では、（３）で生長させた植物体の中から特定の雄株と雌株を選択し、前記雌株の花に、前記雄株由来の花粉を受粉させ、前記雌株に形成される種子を採取する。（３）で生長させた植物体は、同一の雄株と雌株を両親とするので、遺伝的に均質な集団を形成する。このため、この工程での交配は、近親交配となる。
【００１８】
工程（３）及び（４）は、少なくとも２回以上繰り返すが、好ましくは３回繰り返す。
【００１９】
なお、本発明における「無側枝性のアサ」とは、側枝を実質的に持たないアサを意味し、側枝を持つアサであっても、無側枝のアサと同等の効果を奏するようなアサ（単位面積あたりの栽培量の向上、加工段階における側枝切除作業の軽減といった効果を奏するアサ）は、本発明の「無側枝性のアサ」に含まれる。
【００２０】
本発明には、上述の無側枝性アサの作出方法のみならず、この方法により作出されたアサ、及びそのようなアサに生長可能な繁殖材料も含まれる。ここでいう「繁殖材料」には、種子、培養細胞、挿し穂、穂木などが含まれる。
【００２１】
【実施例】
無作為に選んだＣＢＤＡ種のアサの種子を園芸用育苗培養土（クレハ）に播種し、１６時間明期・８時間暗期の長日条件、温度２５℃、湿度６０〜８０％の条件で閉鎖型人工気象器内で生育させた。約４０日後、６０〜８０ｃｍに生長したアサを８時間明期・１６時間暗期の短日条件、温度２５℃、湿度６０〜８０％の条件に移行し、開花誘導させた。花器官の形態で雌雄を判定し、雌株５個体と雄株１個体を選抜、短日処理１０〜１５日後にこれらの個体を閉鎖型人工気象器内において人工受粉により交雑した。受粉２０〜３０日後に近交系第１世代種子を回収し、室温で約２週間休眠させた。次に種子生産量の多い雌株１個体を選抜し、得られた近交系第１世代種子を播種した。生育方法は、同様に長日条件下で６０〜８０ｃｍまで生育させた後、短日条件によって開花誘導、雌株５個体と雄株１個体を選抜、受粉後種子を回収し、近交系第２世代種子を作製した。引き続き雌株１個体から得られた近交系第２世代種子を用いて、上記の近親交配による一連の育種作業を繰り返し、近交系第３、第４、第５世代種子まで作製した。以上のアサ近交系作出の概要を図１に示す。近交系第３世代では、雌雄株ともに受粉能力のある個体で、７０〜８０％が無側枝性アサであった。しかしながら生育が著しく遅い株や奇形株もわずかに出現した。さらに近交系第４世代では、わずかな奇形株などを除き、雌株・雄株ともに生殖能力のある無側枝性アサであった。
【００２２】
図２に、近交系第４世代の無側枝性アサ（右）と親株に用いた側枝のよく発達したアサ（左）の写真を示す。また、図３に近交系第４世代の無側枝性アサのみの写真を、図４に親株に用いた側枝のよく発達したアサのみの写真を示す。図３及び図４からわかるように、親株のアサには側枝（図４中に側枝の一部を矢印で示す）がみられるが、無側枝性アサにはそれに相当するものはみられない。
【００２３】
【発明の効果】
本発明の方法によって作出されるアサは、側枝を実質的に持たないため、単位面積当たりの栽培量が多く、また、側枝切除作業なども軽減される。従って、このアサは、繊維、製紙、建築材料を採取するための産業用アサとして有用である。
【図面の簡単な説明】
【図１】本発明の作出方法を模式的に表した図。
【図２】側枝を持たない近交系アサ及び近交系作出の親株に用いたアサの写真
【図３】側枝を持たない近交系アサの写真
【図４】近交系作出の親株に用いたアサの写真
【図１】
2004283091.tif 000002
【図２】
2004283091.tif 000003
【図３】
2004283091.tif 000004
【図４】
2004283091.tif 000005